(57)【特許請求の範囲】
【請求項１】
可撓性を有するシート素材からなり、前記シート素材を筒状に巻いて構成されるシート製ストローであって、
シート素材を筒状に巻いて中空部を構成するストロー本体部と、前記ストロー本体部に連続して構成されており、前記ストロー本体部を筒状に巻いた状態で保持するストロー保持部と、から構成されたシート製ストローにおいて、
前記ストロー本体部は、巻始め長辺部と、巻終わり長辺部と、飲み口短辺部と、吸い込み短辺部とからなる平行四辺形に構成されており、
前記ストロー本体部は、巻終わり長辺部と飲み口短辺部との成す角度が鋭角に構成されており、巻終わり長辺部と吸い込み短辺部との成す角度が鈍角に構成されており、
前記ストロー保持部は、前記ストロー本体部の巻終わり長辺部の全長に亘って連続して構成されており、前記ストロー本体部を筒状に巻いた状態でストロー本体部の外周に位置しており、前記巻終わり長辺部を一辺とする三角形に構成されており、
前記ストロー保持部の前記巻終わり長辺部から最も離れた三角形の頂点部に固定部を構成しており、
前記ストロー保持部の前記固定部は、固定片先端部と固定片基部とから構成されており、前記固定片先端部を前記固定片基部に固定する構成となっており、
前記ストロー保持部の前記固定部は、ストロー本体部の全長において、飲み口短辺部から１／４程度離れた位置に配置されている
ことを特徴とするシート製ストロー。
【請求項２】
請求項１に記載のシート製ストローにおいて、
前記ストロー保持部は、ストロー保持部上辺とストロー保持部下辺とから構成されており、前記飲み口短辺部の延長線と前記ストロー保持部上辺との成す角度がほぼ４５度に構成されており、かつ、前記吸い込み短辺部の延長線と前記ストロー保持部下辺との成す角度がほぼ４５度に構成されている
ことを特徴とするシート製ストロー。
【請求項３】
請求項１に記載のシート製ストローにおいて、
前記固定部の前記固定片基部に挿入孔が形成されており、前記固定片先端部は前記挿入孔に挿入可能な形状に構成されている
ことを特徴とするシート製ストロー。
【請求項４】
請求項１に記載のシート製ストローにおいて、
前記シート素材は、半透明の樹脂製材料よりなり、
前記ストロー本体部及び前記ストロー保持部に、ストロー本体部の巻方向を示すガイドラインを表示した
ことを特徴とするシート製ストロー。
【請求項５】
請求項１に記載のシート製ストローにおいて、
前記シート素材が円筒形の飲料容器の外周に巻付けられる可撓性を有するフィルムシートに構成されており、
前記フィルムシートにおいて、前記ストロー本体部と前記ストロー保持部からなる前記シート素材を分離可能に構成した
ことを特徴とするシート製ストロー。
【請求項６】
請求項１に記載のシート製ストローにおいて、
前記ストロー本体部の飲み口短辺部と巻始め長辺部とによって構成される角部を小径の円弧状に形成し、
前記ストロー本体部の飲み口短辺部を外側に向かって弧状に形成した
ことを特徴とするシート製ストロー。
【発明の詳細な説明】
【技術分野】
【０００１】  本発明は、可撓性を有するシート素材から構成されたシート製ストローに関するものである。
【背景技術】
【０００２】    一般に広く使用されているストローは、筒状に構成されており、その素材は樹脂製或いは紙製、金属等によって構成されている。樹脂製或いは紙製のストローは、一度使用すると廃棄されることが多く、特に使い捨ての樹脂製ストローにおいては、海洋汚染などの環境問題が懸念されている。樹脂製ストローを繰り返し使用することも考えられるが、衛生面の問題があるとともに、洗浄して使用することは消費者に受け入れられないことが予想される。【０００３】  一方、紙製ストローの場合、現状の樹脂製ストローに比べて製造コストが高くなり、紙製ストローに移行すると提供者の負担が増えることが予想される。また、前記樹脂製ストローの環境問題を受けて、金属製ストローを洗浄して使用することが考えられているが、衛生面及び洗浄作業におけるコスト増が予想される。【０００４】  また、近年、タピオカドリンクなどをはじめとする通常のストローでは通すことが出来ない大きさの粒状の可食物入りドリンクの市場が大きくなってきているが、１種類のストローでは対応することが出来なくなり、提供者は用途に応じた直径のストローをそれぞれ用意する必要性が生まれてきている。【０００５】  このような状況において、再利用可能であり、かつ、ストロー内部の洗浄が容易に行える環境保護用ストロー（特許文献１）が考えられている。前記環境保護用ストローは、両側に第１の側縁および第２の側縁がそれぞれ生成された上面と、両側に第３の側縁および第４の側縁がそれぞれ形成された下面とを有するシート状の可撓性部材を巻くことにより、内径に対応する中空部が形成されたチューブ本体と、前記上面の第１の側縁に対応して形成された少なくとも１つの結合部と、前記下面第４の側縁に対応して形成された少なくとも１つの組立部とを含み、前記組立部は前記結合部と係合して流体を通すための前記中空部を形成する構造となっている。【０００６】  この環境保護用ストローにおいては、第１の側縁に形成された結合部と第４の側縁に形成された組立部とを係合して中空部を構成する構造となっているが、前記結合部と組立部との係合状態がストロー全長において確実に行えるか否か不明である。即ち、シート状の可撓性部材を巻いて中空部を構成する場合、前記可撓性部材は比較的柔らかい素材によって構成されると考えられる。この可撓性部材の第１の側縁の結合部と第４の組立部とを係合する際、ストローの全長における中間部においては、前記結合部と組立部の係合をストローの外周部分のみから押さえることにより行うことが予想される。このような状況では、ストローの中間部分において中空部分が押しつぶされることとなることが予想される。【０００７】  前記環境保護用ストローの結合部及び組立部の具体的な構造においては、Ｕ字断面の凸部をＵ字断面の凹部に挿入して係合する構造が示されているのみであり、この係合構造が密閉した中空部を構成可能か否か不明であり、この点に関する詳細な開示がなされていない。したがって、シート状の可撓性部材によりストローを構成した場合に、ストローの中空部を水密性を確保した状態で確実に構成することができるか否かが不明である。【０００８】  前記環境保護用ストローにおいては、シート状の可撓性��材を螺旋状に巻いて中空形状を構成する図が描かれているが、結合方法および結合位置が一切不明であるとともに、飲み口部分が鋭利な形状となっており危険である。また、実際には長方形のシート状の可撓性部材を螺旋状に巻き、結合部分をストローに適した位置で固定しようとすると、飲口部分と吸い込み口部分との巻き数が異なるため、円柱状ではなく円錐状になるが、この点についての詳細な開示がなされていない。【０００９】  また、紙パック容器などにはストローを装着して販売されているが、ペットボトル飲料及び缶入り飲料にはストローが予め装着されていることはほとんどない。これはストローが無くとも飲料を飲むことが可能な容器であるということではあるが、特に介護等の現場においてニーズがあると想定されるにも関わらず、容器形状に対して円柱状のストローを装着すると輸送時や販売時に外れてしまうなどの問題があり、そのニーズに応えることが出来ていない。
【先行技術文献】
【特許文献】
【００１０】
【特許文献１】実用新案登録第３２２０３３６号公報
【発明の概要】
【発明が解決しようとする課題】
【００１１】  本発明の目的は、ストローとして使用しない場合には全体がシート状であり、使用時に巻いてストローを構成することが可能なシート製ストローであって、水密性を確保した状態で安定して利用することが可能であり、ストロー本体部を筒状に巻いた状態で保持するストロー保持部の固定部が飲料に浸からず、口元にも触れない位置に配置することができるシート製ストローを提供することにある。
【課題を解決するための手段】
【００１３】  上記目的を達成するため、本発明のシート製ストローは、可撓性を有するシート素材からなり、前記シート素材を筒状に巻いて構成されるシート製ストローであって、シート素材を筒状に巻いて中空部を構成するストロー本体部と、前記ストロー本体部に連続して構成されており、前記ストロー本体部を筒状に巻いた状態で保持するストロー保持部と、から構成されたシート製ストローにおいて、前記ストロー本体部は、巻始め長辺部と、巻終わり長辺部と、飲み口短辺部と、吸い込み短辺部とからなる平行四辺形に構成されており、前記ストロー本体部は、巻終わり長辺部と飲み口短辺部との成す角度が鋭角に構成されており、巻終わり長辺部と吸い込み短辺部との成す角度が鈍角に構成されており、前記ストロー保持部は、前記ストロー本体部の巻終わり長辺部の全長に渡って連続して構成されており、前記ストロー本体部を筒状に巻いた状態でストロー本体部の外周に位置しており、前記巻終わり長辺部を一辺とする三角形に構成されており、前記ストロー保持部の前記巻終わり長辺部から最も離れた三角形の頂点部に固定部を構成しており、前記ストロー保持部の前記固定部は、固定片先端部と固定片基部とから構成されており、前記固定片先端部を前記固定片基部に固定する構成となっており、前記ストロー保持部の前記固定部は、ストロー本体部の全長において、飲み口短辺部から１／４程度離れた位置に配置されていることを特徴としている。
【発明の効果】
【００１５】  本発明の各シート製ストローによれば、ストロー保持部によって筒状に巻いたストロー本体部をストローの円周方向に引っ張り、一箇所で固定する固定部からなる構造となっており、かつ、前記固定部が飲料に浸かることなく、口元にも触れず、水密性を達成しつつ、目的の位置で安定的かつ確実に固定することができる。【００１７】  上記説明においては、代表的な発明内容について説明したが、本願による発明は、これに限定されるものではなく、以下の複数の実施形態により明らかにされる。
【図面の簡単な説明】
【００１８】
【図１】本発明に係る第１実施形態のシート製ストローの巻く前の状態を示した斜視図と前記シート製ストローの巻いた状態を示した斜視図である。
【図２】本発明に係る第１実施形態のシート製ストローの基本形状を示した平面図である。
【図３】本発明に係る第１実施形態のシート製ストローにおける固定片による固定状況を段階的に示した図である。
【図４】本発明に係る第１実施形態のシート製ストローにおける飲み口部及び吸い込み部の変形例を説明する図である。
【図５】本発明に係る第１実施形態のシート製ストローにおいて、ガイドラインを設けたシート製ストローの改良案を示した平面図である。
【図６】本発明の第２実施形態のシート製ストローを示しており、ストロー本体部の異なる二つの実施形態を示した平面図である。
【図７】本発明の第３実施形態のシート製ストローの基本形状及び全体形状を示した平面図である。
【図８】本発明の第４実施形態のシート製ストローにおける固定片部分を示しており、固定前及び固定後の状況を示した正面図である。
【図９】本発明の第５実施形態のシート製ストローと固定片を示した斜視図である。
【図１０】本発明の第６実施形態であってシート製ストローを構成したシート素材を円筒容器に巻き付けた状態の斜視図及びシート素材を展開した状態の平面図である。
【図１１】本発明の第７実施形態であってシート製ストローを構成したシート素材を示す平面図である。
【発明を実施するための形態】
【００１９】  本発明に係る第１実施形態について、図１、図２及び図３により説明する。図１（ａ）は、本発明の第１実施形態であるシート製ストローの巻く前の全体形状を示した斜視図であり、図１（ｂ）は、前記シート製ストローを巻いて、ストローとして使用可能な状態を示した斜視図である。図２は、本発明の第１実施形態であるシート製ストローの基本形状を示した平面図である。なお、図２に示したシート製ストローの基本形状は、図１に示したシート製ストローの基本形状を示しており、それぞれの角部等の円弧形状、固定片４部分を省略して図示している。図３は、本発明の第１実施形態における、シート製ストローの巻いた状態での固定状況を示した図である。
【００２０】  シート製ストロー１は、飲み物等の飲料に接して有害物質等を放出しないシート素材により構成されており、具体的な素材としては、ポリプロピレン、ポリオフィレン、ポリエチレンなどの合成樹脂、金属材、天然樹脂、撥水性のある紙、竹、生分解性プラスチック等が用いられる。また、シート素材自体の性能としては、巻いてストローを構成するため、可撓性を有するとともに曲げに対して適度な反発力を有しており、巻かれたシート素材同士がその反発力により水密性を確保可能な材質となっている。
【００２１】  また、前記シート素材を巻いてストローを構成して固形物等を含む飲料を吸い上げる際に、ストロー内部が負圧となる。このため、前記シート素材は、巻いてストローを構成した際に、シート素材の重なり部が前記負圧に打ち勝って水密状態を維持可能な反発力を有している。このようなシート素材としては、例えば、ポリプロピレン樹脂製の場合、厚さが０．０３ｍｍ以上であり、巻き易さを考慮して０．５ｍｍ以下のものが好適と考えられる。
【００２２】  図２において、シート製ストロー１は、ストロー本体部２とストロー保持部３とから構成されている。ストロー本体部２とストロー保持部３は、１枚のシート素材により構成され、ストロー本体部２に対してストロー保持部３が連続して構成されている。ストロー本体部２は、符号Ａ，符号Ｂ，符号Ｃ，符号Ｄで囲まれた平行四辺形に構成されている。符号Ａ、符号Ｂ、符号Ｅで囲まれた三角形がストロー保持部３を構成している。
【００２３】  符号Ａと符号Ｄとを結ぶ辺がストローの飲み口部を構成する飲み口短辺部８であり、符号Ｂと符号Ｃとを結ぶ辺がストローの飲料に挿入される吸い込み部を構成する吸い込み短辺部９である。符号Ｃと符号Ｄとを結ぶ辺がストロー本体を構成するための巻始め部に相当する巻始め長辺部１０ａである。符号Ａと符号Ｂとを結ぶ辺がストロー本体を構成する場合の巻終わり部に相当する巻終わり長辺部１０ｂである。前記飲み口短辺部８、吸い込み短辺部９、巻始め長辺部１０ａ及び巻終わり長辺部１０ｂにより、全体が平行四辺形を成すストロー本体部２が構成されている。
【００２４】  ストロー本体部２の符号Ａ，Ｂの辺、即ち、前記巻終わり長辺部１０ｂと符号Ｂ，Ｃの辺、即ち、前記吸い込み短辺部９との成す角は、鈍角に構成されており、符号Ａ，Ｄの辺、即ち、前記飲み口短辺部８と符号Ａ，Ｂの辺、即ち、前記巻終わり長辺部１０ｂとの成す角は、鋭角に構成されている。
【００２５】  符号Ａ，符号Ｂ，符号Ｃ，符号Ｄで囲まれた平行四辺形における高さ（ＰＱ）がストロー本体部２によって構成されるストローの全長となる。
【００２６】  また、符号Ａ，Ｄの飲み口短辺部８及び符号Ｂ，Ｃの吸い込み短辺部９の長さがストロー本体部２によって構成されているストローの最大外周長に相当する。実際にはシートの反発により、ストローを安定的に構成する最適な巻き数が異なるため、目的とするストローの直径の円周長とその巻き数を乗じた長さにより飲み口短辺部８及び吸い込み短辺部９の長さが決定される。
【００２７】  具体的には、目的とするストローの直径が１０ｍｍであり、シートの厚さや反発力から安定的にストローの構成を保持することが可能な巻き数が２巻きである場合、飲み口短辺部８と吸い込み短辺部９の長さは、３１．４ｍｍ（直径１０ｍｍの円周長）×２巻き＝６２．８ｍｍ程度となる。
【００２８】  前記巻終わり長辺部１０ｂの符号Ａと符号Ｂとを結ぶ辺と、符号Ａと符号Ｅとを結ぶ辺及び符号Ｂと符号Ｅとを結ぶ辺とで構成された三角形が前記ストロー保持部３を構成している。
【００２９】  前記符号Ａと符号Ｅとを結ぶ辺がストロー保持部上辺１１であり、符号Ｂと符号Ｅとを結ぶ辺がストロー保持部下辺１２であり、これらがストローを構成した際にストロー外観のストライプ部分となる。前記ストロー保持部上辺１１に対して飲み口短辺部８の延長線との成す角度は、ほぼ４５度に構成されており、前記ストロー保持部下辺１２に対して前記吸い込み短辺部９の延長線との成す角は、ほぼ４５度に構成されている。それぞれの角度は４５度が最も安定かつ、シート素材の面積が少なくストロー本体部２を固定することが出来る。ストロー保持部３の符号Ｅで示した前記巻終わり長辺部１０ｂから最も離れた頂点部には、図２において図示を省略した固定片４が構成されている。前記固定片４は、図１（ａ）に示すように、ストロー保持部３を構成するシート素材で一体的に連続して構成されており、固定片基部６と固定片先端部５とから構成されている。固定片基部６には、固定片先端部５を挿入可能な挿通孔７が複数形成されており、前記挿通孔７に対して前記固定片先端部５が差し込み可能に構成されている。この構造は、後述するストロー本体部２及びストロー保持部３を巻いてストローを構成した図１（ｂ）の状態で、ストローの全体形状を保持し固定する役割を果たす構造となっている。
【００３０】  前記固定片４は、飲料に浸からず、口元にも触れない位置に設置するのが好ましく、通常のストローとしての用途であれば飲み口短辺部８から全長の１／４ほどストローの軸方向に下げた辺り（Ｌ３のライン上）に設置するのが望ましい。
【００３１】  このように構成されたシート製ストロー１は、ストロー本体部２の巻始め長辺部１０ａを内側にして、巻終わり長辺部１０ｂへ向かって巻き始める。この時、巻始め長辺部１０ａの符号Ｃで示した先端部を符号Ｂの方向へ向かって吸い込み短辺部９が重なるように巻いていくことは非常に難しく、巻始め長辺部１０ａの全体を内側にして、巻終わり長辺部１０ｂへ向かって巻いていく方が巻き易い。この場合、飲み口短辺部８及び吸い込み短辺部９が螺旋状に巻かれることになり、それぞれの端部が不揃いとなる。これらの不揃いを整えるために、巻いたストロー本体部２を捩じるようして、飲み口短辺部８及び吸い込み短辺部９のそれぞれの端部が揃うように巻く角度を修正する。そして、飲み口短辺部８及び吸い込み短辺部９のそれぞれの端部が揃った状態で、ストロー保持部３によりストロー本体部２を覆う。
【００３２】  その後、図３の▲１▼▲２▼に示すように固定片４の固定片先端部５を固定片基部６の一番近い位置の挿通孔７に差し込み、かつ、他の挿通孔７から引き出すことによって、シート製ストロー１全体をストローが構成された状態で固定する。さらに、固定を強めたい場合は図３の▲３▼▲４▼に示すように挿通孔７から出た固定片先端部５を固定片基部６の他の挿通孔７に更に差し込むとよい。
【００３３】  このシート製ストロー１によれば、ストローとして使用する際に、ストロー本体部２及びストロー保持部３を巻いてストローを構成して簡単に利用することができる。前記シート製ストロー１を使い終わった際に、巻いていたストロー本体部２及びストロー保持部３を開いて、構成しているシート素材の内外面を洗浄し、乾燥させることにより、繰り返し使用することができる。したがって、これまでの使い捨てストローに比べて、環境問題を引き起こすことが軽減される。
【００３４】  また、シート製ストロー１によれば、三角形のストロー保持部３により、巻いた状態のストロー本体部２の飲み口短辺部８の近傍から吸い込み短辺部９の近傍までの巻終わり長辺部１０ｂの全長に亘ってストロー外周の円周方向に引っ張り固定する構造となっている。したがって、ストロー本体部２を巻いた状態で、確実に保持することができ、ストロー本体部２の水密状態を保持することができる。
【００３５】  このシート製ストロー１においては、ストロー本体部２を図２の符合Ｅと符合Ｆとを結ぶ線がほぼ重なるように巻くことによって、飲み口短辺部８及び吸い込み短辺部９にずれを生じることなくストローの筒状中空部を構成することができる。また、前記符合Ｅ、Ｆの線が重なるようにストロー本体部２を巻く際に、その巻き数を変更することにより、ストロー直径を変えることができる。
【００３６】  例えば、飲み口短辺部８の長さを、６２．８ｍｍとした場合に、ストロー本体部２の巻き数とストロー直径の関係は、次の表１のようになる。
【表１】
0006967718.tif 000002
【００３７】  このように本シート製ストロー１によれば、前記符合Ｅ、Ｆの線がほぼ重なるようにストロー本体部２の巻き数を任意に変えることにより、ストロー直径を変更して使用することができる。例えば、タピオカドリンクにように粒状の固形物を含む飲料を飲む場合には、タピオカの大きさよりも大きなストロー直径とし、タピオカのような固形物を含まない飲料の場合には、従来用いられているストロー直径として使用することができる。
【００３８】  したがって、各種飲料の販売店において、固形物を含む飲料と固形物を含まない飲料を販売する場合に、直径の異なるストローを準備する必要がなく、本シート製ストロー１のみで前記異なる飲料に対応することができる。
【００３９】  このシート製ストロー１によれば、ストローとして用いない状態では、全体がシート状であり、重ねて収納できることから、従来の筒型ストローに比べて狭い収納スペースとすることができる。具体的には外径１４ｍｍ、全長２１０ｍｍの太口ストローが１３８本、外径７ｍｍ、全長２１０ｍｍの細口ストローが５６４本入る１６８ｍｍ×１４５．４９ｍｍ×２４０ｍｍの立方体に、前記シート製ストロー１は１９３８本分入れることが可能であり、前記太口ストローの１４倍、前記細口ストローの３．４倍収納することが可能である。そのため、在庫スペースの確保および店舗提供スペースの有効活用、商品輸送コストの削減の面で有効である。
【００４０】  このシート製ストロー１によれば、別素材で構成される結合部材を必要とせず、立体的な加工の必要もなく、シート素材１枚のみの型抜き加工で構成できるため、安価に製造が可能である。
【００４１】  従来の円筒状のストローは形状的に目視可能な記載スペースが少なく、広告などへの利用は現実的ではなかった。これに対して、本発明によるシート製ストロー１によれば、通常のストローと比べて目視可能な記載スペースが多く、立体構造のない１枚のシート素材で作られているため印刷も容易に可能であり、広告スペースとしての利用価値が高く、提供者の収益性向上が見込める。
【００４２】  次に、本発明の第１実施形態の前記シート製ストロー１について、飲み口短辺部８の改良構造を図４により説明する。前記シート製ストロー１において、飲み口短辺部８及び吸い込み短辺部９の各端部が図３に示したように、凹凸なく揃った状態は、前記符合Ｅ、Ｆの線がほぼ重なるようにシート本体部２を巻いた状態であり、実際には巻き方に個人差が生じることが予想される。このストロー本体部２の飲み口短辺部８に関する改良点の詳細について、図４により説明する。
【００４３】  図４▲１▼は、前記シート製ストロー１において、ストロー本体部２を前記符合Ｅ、Ｆの線がほぼ重なるように巻いた状態（ア）と、前記符合Ｅ、Ｆの線が重ならないように巻いた状態（イ）を示している。（イ）に示した飲み口短辺部８の端部には、ストロー本体部２の符合Ｄの角部が突出した状態となっており、利用に適さない状況が予想される。このような不具合を防止するため、図４▲２▼に示すように飲み口短辺部８ａは、外周に向かって僅かな円弧状に形成されるとともに、符合Ｄの角部については小径の円弧状に形成することが考えられる。前記飲み口短辺部８ａの円弧状に形成された部分の高さは、符合Ａ、Ｄの辺の長さの１０〜２０％程度とするのが好適である。
【００４４】  このようにストロー本体部２の飲み口短辺部８ａを、円弧状に形成し、かつ、角部を小径の円弧状に形成することにより、ストロー本体部２の巻き方が多少異なっても、図４▲２▼の（ウ）及び（エ）に示すように、飲み口部分の不具合を解消することができる。すなわち、図４▲２▼の（エ）の場合、ストロー本体部２の前記符合Ｅ、Ｆの線が重ならないように巻いた状態を示しており、符合Ｄの部分が突出しても、当該突出の先端が円弧状に構成されていることから、利用者の唇等を傷つけることを回避できる。
【００４５】  また、ストロー本体部２の吸い込み短辺部９においては、図４▲３▼に吸い込み短辺部９ａとして示すように、飲料の種類（タピオカドリンク、かき氷等）によって、固形物をすくえるように、外周の一部を突出させた形状とすることも考えられる。前記吸い込み短辺部９ａは、符合Ｂと符合Ｃとがほぼ重なり合う状態で、円筒形状を斜めに切断した形状となり、固形物等をすくうことが可能な形状を成している。
【００４６】  次に、本発明の第１実施形態の前記シート製ストロー１について、使用者の巻き技量の差をより少なくするための改良構造を図５により説明する。本発明はこれまでに一般的ではなかった巻きストローであるため、前記巻き方においては、飲み口短辺部８及び吸い込み短辺部９の不揃いを整えるために、巻いたストロー本体部２を捩じるようして、飲み口短辺部８及び吸い込み短辺部９のそれぞれの端部が揃うように巻く角度を修正するという巻き方において、ガイドが一切ない場合や初見の人にとっては巻くのが難しい場合もあると想定される。そのため、シート素材を透明又は半透明として、図５に示すシート製ストロー１ａは、図２における符号Ｅ，Ｆのライン上にガイドラインＬ４を表示し、そのラインが重なるように巻いていくと巻きやすくなる。
【００４７】  次に、本発明の第２実施形態について、図６により説明する。図６（ａ）のシート製ストロー１００は、符合Ａ、Ｂ、Ｃ、Ｄで囲まれた平行四辺形が長方形をなした構成となっている。符合Ａ、Ｂの辺と符合Ｂ、Ｃの辺との成す角度が直角であり、かつ、各辺と隣り合う辺が何れも直角を成すように構成されている。
【００４８】  このシート製ストロー１００においては、巻始め長辺部１１０ａを内側にして巻終わり長辺部１１０ｂへ向かって、当該巻始め長辺部１１０ａと巻終わり長辺部１１０ｂとが平行な状態を保てストロー本体部１０２を巻いてストロー中空部を構成する。このシート製ストロー１００によれば、ストロー本体部１０２を巻く際に、巻いた部分を捩じる動作を必要としないため、巻き付け動作を行う者の経験度合等に関係なく巻き作業を行うことができる。
【００４９】  前記シート製ストロー１００に対して、シート製ストロー２００は、符合Ｃ、Ｄの巻始め長辺部２１０ａを円弧状に外側へ膨らませた形状となっている。このように巻始め長辺部２１０ａを円弧状に外側へ膨らませた形状とすることにより、ストロー本体部２０２の巻き付け作業を容易に行うことができる。
【００５０】  なお、前記シート製ストロー１００及びシート製ストロー２００において、ストロー本体部１０２及びストロー本体部２０２には、それぞれストロー保持部１０３とストロー保持部２０３が連続して形成されており、ストロー本体部１０２及びストロー本体部２０２を巻いた状態で保持する構成となっている。
【００５１】  前記シート製ストロー１００によれば、ストロー本体部１０２の巻き付け動作が、捩じり等の経験を必要とする作業を行う必要がなく、比較的簡単に行える。また、シート製ストロー２００によれば、巻始め長辺部２１０ａを円弧状に構成することにより、ストロー本体部２０２の巻き付け動作を簡単に行うことができる。即ち、前記ストロー本体部２０２は、巻始め長辺部２１０ａが円弧状に形成されていることにより、ストロー本体部２０２の幅が実質的に長くなるため、巻き付け動作が容易となる。
【００５２】  次に、本発明の第３実施形態について、図７により説明する。本実施形態のシート製ストローは、リボン型を成しており、図７（ａ）にその基本形状を示し、図７（ｂ）に実用的な構造を示している。
【００５３】  図７（ａ）において、基本形状を説明する。シート製ストロー３００は、ストロー本体部３０２とストロー保持部３０３とから構成されている。前記ストロー本体部３０２は、巻始め長辺部３１０ａと、巻終わり長辺部３１０ｂと、飲み口短辺部３０８と、吸い込み短辺部３０９から成り、全体形状が平行四辺形に構成されている。
【００５４】  このストロー本体部３０２の巻終わり長辺部３１０ｂに連続して前記ストロー保持部３０３が形成されている。このストロー保持部３０３は、ストロー本体部３０２の飲み口短辺部３０８から吸い込み短辺部３０９までの範囲において、その幅が一定に構成されている。したがって、ストロー本体部３０２とストロー保持部３０３が一定幅のリボン形状を構成している。
【００５５】  図２に示した第１実施形態のシート製ストロー１のストロー保持部３は、三角形に構成されているが、このシート製ストロー３００のストロー保持部３０３は、一定幅を成したリボン状に構成されている点が異なっている。したがって、このシート製ストロー３００を巻く場合には、巻始め長辺部３１０ａの符号Ｃの部分から符号Ｂに向かって巻始め、ストロー本体部３０２の部分が重なるように巻き、巻終わり長辺部３１０ｂに連続したストロー保持部３０３により、ストロー本体部３０２の円筒形状を保持する構造となっている。
【００５６】  第１実施形態のシート製ストロー１においては、符号Ａ付近と、符号Ｅ付近、符号Ｂ付近とで、ストロー保持部３の幅が異なり、ストローを構成した際の重なり部の巻き数がそれぞれ異なっている。このため、構成されるストローの外径がストローの全長において異なることになる。これに対して、前記シート製ストロー３００においては、ストロー保持部３０３が一定の幅で構成され、かつ、巻終わり長辺部３１０ｂの外側のライン上でストロー全長に亘って外径が変化しない構造となる。このような構成によれば、柔らかい素材や薄い素材であっても巻き数を多くすることでストローを構成することが可能である。但し、この図７（ａ）においては、固定片に相当する構造が示されていないので、図７（ｂ）により、実用的なリボン型のシート製ストロー４００を説明する。
【００５７】  図７（ｂ）において、シート製ストロー４００は、その基本形状が前記シート製ストロー３００と同様に構成されている。本シート製ストロー４００は、巻始め長辺部４１０ａの始端部であって吸い込み短辺部４０９の始端部分に巻始め片４２０を構成している。この巻始め片４２０は、前記吸い込み短辺部４０９に平行な巻始め上辺４２０ａと巻始め始端辺４２０ｂから成る矩形に形成されている。前記巻始め始端辺４２０ｂは、ストロー本体部の巻始め作業を容易に行えるように所定の幅を有して構成されている。
【００５８】  また、ストロー保持部４０３の飲み口短辺部４０８の近傍には固定片４０４が前記ストロー保持部４０３に連続して構成されており、前記固定片４０４は、前記飲み口短辺部４０８に平行な固定辺基部４０６と固定片先端部４０５とから構成されている。前記固定辺基部４０６にはスリット状の挿入孔４０７を形成しておき、ストローを構成した状態で固定片先端部４０５を固定片基部４０６の挿入孔４０７に挿入することによりストローの状態を保持する。
【００５９】  このシート製ストロー４００によれば、巻始め片４２０を水平方向（吸い込み短辺部４０９の延長方向）に巻くことにより、使用者の技量に関係なく前記リボン型の巻き難さを解消できる。即ち、シート製ストロー３００においては、符号Ｃで示す部分が鋭角に尖った形状となっているため、この形状ではストロー本体部３０２を巻き始める際の作業が煩雑で、熟練を要することが予想される。これに対して、シート製ストロー４００の巻始め片４２０は、全体が矩形をなしており、巻始め片４２０が所定の幅に構成されていることから、巻き始め作業が前記シート製ストロー３００に比べて、円滑に行える。また、使用者の技量に関係なく、リボン型のシート製ストロー４００であっても容易に巻き始めることが可能となる。
【００６０】  また、シート製ストロー４００の前記固定片４０４は、その上辺部が飲み口短辺部４０８の延長線よりも吸い込み短辺部４０９側へ凹むように構成されている。このことから、前記シート製ストロー４００を巻いて、前記固定片４０４によりストローの形状を保持した状態で、当該固定片４０４がストロー利用者の唇に触れ難く構成することができる。また、前記固定片４０４は、ストローとして使用する際に、飲料に浸かることもない配置となっている。なお、前記固定片４０４は、前記ストロー本体部４０２及びストロー保持部４０３を巻いた状態で保持する機能については、第１実施形態の固定片４と同様な機能を有しており、ストローを安定して固定することができる。
【００６１】  本発明の第４実施形態について、図８により説明する。本シート製ストロー５００は、ストロー本体部及びストロー保持部の構成は、前記第１実施形態とほぼ同様な構成となっている。本シート製ストロー５００においては、固定片５０４に設置される固定手段が前記第１実施形態と異なっている。図８▲１▼に示すように、本固定片５０４の固定辺先端部５０５にシート状磁石５１０を取り付け、固定片基部５０６に鉄又はニッケル等のシート状磁性体５２０を取り付けている。前記固定片基部５０６に取り付けたシート状磁性体５２０の位置は、図８▲２▼に示すように、ストロー本体部及びストロー保持部を巻いてストローを構成した状態で、前記シート状磁石５１０が重なる位置に取り付けられている。前記シート状磁石５１０とシート状磁性体５２０との吸着力は、ストロー本体部及びストロー保持部を巻いてストローを構成した状態において、固定片基部５０６に対して固定片先端部５０５が外れない吸着力を有している。
【００６２】  このシート製ストロー５００によれば、固定片５０４の固定片先端部５０５にシート状磁石５１０を取り付け固定片基部５０６にシート状磁性体５２０を取り付けるという簡単な構成によって、前記シート製ストロー５００を繰り返し使用する場合に、固定片５０４の着脱が容易に行える。また、固定片５０４の固定片先端部５０５及び固定片基部５０６自体の構造を簡素なものとすることができる。なお、前記シート状磁石５０５及びシート状磁性体５０６に代えて、マジックテープ、スナップボタン、再剥離可能なシール等を用いることも可能である。
【００６３】  上記固定方法については、シート状磁石５１０とシート状磁性体５２０の位置を入れ替えても同様の効果が期待できるが、固定片基部５０６にシート状磁石５１０を設置した場合、シートの巻き数によっては、シート状磁石５１０同士が重なり合い、磁力により巻き難さが生じる場合があるため、固定辺先端部５０５にシート状磁石５１０を取り付け、固定片基部５０６にシート状磁性体５２０を取り付ける方がより好ましい。
【００６４】  本第４実施形態においては、前記のように、シート状磁石とシート状磁性体の設置位置を入れ替えても、ストロー本体及びストロー保持部を固定することができる。したがって、本実施形態においては、固定片の固定片先端部にシート状磁石又はシート状磁性体の一方を設置し、固定片の固定片基部にシート状磁石又はシート状磁性体の他方を設置するという概念を含むものである。
【００６５】  本発明の第５実施形態について、図９により説明する。本シート製ストロー６００は、ストロー本体部６０２とストロー保持部６０３とから構成されている。前記ストロー本体部６０２については、第１実施形態のストロー本体とほぼ同様の構成となっている。前記ストロー保持部６０３は、前記ストロー本体部６０２に連続して構成されている点については、前記第１実施形態のストロー保持部とほぼ同様の構成となっている。このストロー保持部６０３においては、ストロー本体部６０２から最も離れた位置に設けられる固定片６０４が、前記第１実施形態と異なっている。前記固定片６０４は、ストロー保持部６０３の先端部分に着脱自在に設置される構造となっている。前記固定片６０４の固定片基部６０６の端部には複数の直線上に並べて設置された固定用突起６１０ａが設けられている。前記ストロー保持部６０３の先端部には直線上に形成された複数の固定穴６１０ｂが設けられている。
【００６６】  前記固定穴６１０ｂに対して、前記固定用突起６１０ａは、嵌合可能に構成されている。また、固定穴６１０ｂに固定用突起６１０ａを嵌合し、固定穴６１０ｂと固定用突起６１０ａの嵌合状態を保持する固定保持具６１０ｃを備えている。
【００６７】  このシート製ストロー６００のストロー本体部６０２及びストロー保持部６０３を巻いてストローを構成した状態で、ストロー保持部６０３の先端に前記固定片６０４を取り付け、かつ、固定辺先端部６０５を固定片基部６０６の挿通孔６０７に挿入することによりストローの状態を保持する。
【００６８】  このシート製ストロー６００によれば、ストロー本体部６０２及びストロー保持部６０３を一定期間使用してシート部材が劣化した際に、ストロー本体部６０２及びストロー保持部６０３を新たなものに交換し、固定片６０４については継続して使用することができる。
【００６９】  本発明の第６実施形態について、図１０により説明する。図１０▲１▼は、飲料容器７００を示しており、同飲料容器７００は円筒形に形成されている。前記飲料容器７００の円筒形外周部分には、飲料の名称、一括表示、分別表示等が記載された、シート素材の一例としての合成樹脂製のフィルムシート７５０が取り付けられている。前記フィルムシート７５０にはシート製ストロー７５０ａが構成されている。前記フィルムシート７５０に、図１０▲２▼に点線で示すようにシート製ストロー７５０ａの輪郭線に相当する位置に継続的に切目を入れており、前記シート製ストロー７５０ａをストローとして使用する場合には、該シート製ストロー７５０ａをフィルムシート７５０から切離して使用する。前記シート製ストロー７５０ａの形状は、前記第１実施形態のシート製ストローとほぼ同様な形状となっている。
【００７０】  このフィルムシート７５０を飲料容器７００に取り付けることにより、飲料容器７００内の飲料をストローで飲みたい場合に、前記フィルムシート７５０のシート製ストロー７５０ａを切り離して簡単かつ迅速にストローを使用することができる。一部の飲料容器においては、包装用フィルムに内包した円筒状ストローを装着したものもみられるが、前記フィルムシート７５０からなるシート製ストロー７５０ａによれば、飲料容器の外周にストローが露出してかさばることがない。したがって、これまでに設置されていない一般的なペットボトル飲料等においても、前記シート製ストロー７５０ａを設けることが可能となる。
【００７１】  ところで、前記シート製ストロー７５０ａによって構成されるストローは、その一部が飲料に挿入されることになるため、フィルムシート７５０の汚損には配慮する必要がある。このため、前記シート製ストロー７５０ａを利用する際に、利用者に対してフィルムシート７５０が汚損された状態では使用しないように注意書きをする等の配慮が必要となる。また、シート製ストロー７５０ａの汚損を防止するために、前記フィルムシート７５０を二重構造とすることが考えられる。
【００７２】  本発明の第７実施形態を図１１により説明する。図１１に示すシート素材の例は、それぞれ円筒型の飲料容器の外周に取付けられるシート素材の一例である。図１１▲１▼に示したフィルムシート８００は、図１０に示したシート製ストロー７５０ａを同フィルムシート８００内に形成した状況を示している。このフィルムシート８００においては、シート製ストロー７５０ａの固定片が長く、シート全体の形状が大きくならざるを得ない。
【００７３】  そこで、シート素材の他の例である図１１▲２▼に示したフィルムシート８１０のシート製ストロー８５０ａは、固定片８６０の全長を短くした構造としている。固定片８６０の固定片先端部８６０ａに、山形或いはＵ字形の引掛部８６０ｂを構成している。固定片８６０の基部側にスリット状の挿入孔８７０を形成しておき、前記引掛部８６０ｂをこの挿入孔８７０に掛けることにより、ストロー本体部及びストロー固定部の形状を保持する。
【００７４】  このフィルムシート８１０によれば、飲料容器の高さ寸法が比較的短い容器に取り付けられるフィルムシートにおいても、シート製ストロー８５０ａを形成することができる。また、固定片８６０において、引掛部８６０ｂを挿入孔８７０に掛けるだけで簡単に固定することができるため、固定動作が容易となる。
【符号の説明】
【００７５】１，１００，２００，３００，４００，５００，
６００，７５０ａ，８５０ａ                  シート製ストロー
２，１０２，２０２，３０２，６０２          ストロー本体部
３，１０３，２０３，３０３，４０３，６０３  ストロー保持部
４，４０４，５０４，６０４，８６０          固定片
５，４０５，５０５，６０５，８６０ａ        固定片先端部
６，４０６，５０６，６０６                  固定片基部
７，４０７，６０７，８７０                  挿通孔
８，８ａ，３０８，４０８                    飲み口短辺部
９，９ａ，３０９，４０９                    吸い込み短辺部
１０ａ，１１０ａ，２１０ａ，３１０ａ，
４１０ａ                                    巻始め長辺部
１０ｂ，１１０ｂ，３１０ｂ                  巻終わり長辺部
１１                                        ストロー保持部上辺
１２                                        ストロー保持部下辺
４２０                                      巻始め片
４２０ａ                                    巻始め上辺
４２０ｂ                                    巻始め始端辺
５１０                                      シート状磁石
５２０                                      シート状磁性体
６１０ａ                                    固定用突起
６１０ｂ                                    固定穴
６１０ｃ                                    固定保持具
７００                                      飲料容器
８６０ｂ                                    引掛部
７５０，８００，８１０                      フィルムシート
【図１】
0006967718.tif 000003
【図２】
0006967718.tif 000004
【図３】
0006967718.tif 000005
【図４】
0006967718.tif 000006
【図５】
0006967718.tif 000007
【図６】
0006967718.tif 000008
【図７】
0006967718.tif 000009
【図８】
0006967718.tif 000010
【図９】
0006967718.tif 000011
【図１０】
0006967718.tif 000012
【図１１】
0006967718.tif 000013